(57)【要約】【課題】撮影レンズに対する主要被写体の位置に拘らず、撮影画像において主要被写体にできる影を抑制できるようにする。【解決手段】撮影レンズに対する主要被写体の位置に応じて複数の発光部の発光量を制御し、適正光量を変更することなく、主要被写体に照射される各発光部からの光量が等しくなるようにする。【選択図】図６
2010204458.tif 000002
【特許請求の範囲】
【請求項１】
撮影レンズと同一面に配された複数の発光部を有する撮像装置であって、
前記撮影レンズに対する主要被写体の位置を検出する検出手段と、
前記検出手段により検出された主要被写体の位置に基づいて、前記複数の発光部から当該主要被写体にそれぞれ照射される光量を等しくするための当該複数の発光部の発光量を算出する算出手段と、
前記算出手段により算出された発光量で発光するように前記複数の発光部を制御する制御手段と、
を有することを特徴とする撮像装置。
【請求項２】
前記算出手段は、前記複数の発光部から前記主要被写体にそれぞれ照射される光量の合計の光量が適正光量となるように、当該複数の発光部から前記主要被写体にそれぞれ照射される光量を等しくするための当該複数の発光部の発光量を算出することを特徴とする請求項１に記載の撮像装置。
【請求項３】
前記算出手段は、前記複数の発光部からの発光の配光特性が記録された配光テーブルを用いて前記複数の発光部の発光量を算出することを特徴とする請求項１又は２に記載の撮像装置。
【請求項４】
前記複数の発光部において配光特性が異なる場合は、異なる発光部の数だけ前記配光テーブルを有することを特徴とする請求項３に記載の撮像装置。
【請求項５】
前記配光テーブルは、ズーム位置に応じて複数設けられていることを特徴とする請求項３又は４に記載の撮像装置。
【請求項６】
前記制御手段は、前記複数の発光部の発光量に係る情報と発光時間とが対応付けて記録された発光テーブルを参照することにより前記算出手段により算出された発光量に対応する発光時間を取得し、当該発光時間だけ当該複数の発光部を発光させることを特徴とする請求項１〜５の何れか１項に記載の撮像装置。
【請求項７】
前記発光テーブルに記録される前記情報は、測光処理のための前記複数の発光部のプリ発光時間に対応する発光量に対する当該発光部の発光量の倍率であることを特徴とする請求項６に記載の撮像装置。
【請求項８】
前記算出手段は、前記適正光量となるように算出した前記発光量の少なくとも１つが当該発光部の最大発光量を超えている場合は、当該最大発光量を当該発光部の発光量として、前記光量を等しくするための他の発光部の各発光量を算出し、
前記制御手段は、前記各発光量と前記最大発光量の合計光量と前記適正光量との差分光量をＩＳＯ感度、絞り値、およびシャッタ速度の少なくとも１つを変更することで補うことを特徴とする請求項１〜７の何れか１項に記載の撮像装置。
【請求項９】
撮影レンズと同一面に配された複数の発光部を有する撮像装置の制御方法であって、
前記撮影レンズに対する主要被写体の位置を検出する検出工程と、
前記検出工程により検出された主要被写体の位置に基づいて、前記複数の発光部から当該主要被写体にそれぞれ照射される光量を等しくするための当該複数の発光部の発光量を算出する算出工程と、
前記算出工程により算出された発光量で発光するように前記複数の発光部を制御する制御工程と、
を有することを特徴とする撮像装置の制御方法。
【請求項１０】
請求項９に記載の撮像装置の制御方法をコンピュータが実行できるようにプログラミングされてなるプログラム。
【発明の詳細な説明】
【技術分野】
【０００１】
本発明は、複数の発光部を有する撮像装置における発光制御技術に関する。
【背景技術】
【０００２】
従来、カメラでは、光量が十分でない場合の補助光源としてストロボ（発光装置）が活用されている。しかし、カメラの小型化に伴って撮影レンズとストロボ発光部の距離が短くなってきている。そのため、主要被写体には主に正面方向からストロボ光が照射され、主要被写体の撮影画像に強い輝度の部分と影が生じる場合があった。
【０００３】
このような現象を回避するために、撮影レンズを挟んで２組（４つ）のストロボ発光部を設け、撮影レンズを挟む１組のストロボ発光部を選択して発光させることにより、主要被写体の撮影画像に生じる影を抑制する手法が提案されている（特許文献１参照）。
【先行技術文献】
【特許文献】
【０００４】
【特許文献１】特開２００６−２５９１０７号公報
【発明の概要】
【発明が解決しようとする課題】
【０００５】
特許文献１に係る手法では、主要被写体が撮影画角のほぼ中央、すなわち撮影レンズのほぼ正面に位置する場合には、２つのストロボ発光部からほぼ等しい光量のストロボ光が主要被写体に照射される。
【０００６】
しかしながら、ストロボ光の配光特性上、主要被写体が撮影レンズの正面からずれた場合、その主要被写体の位置によっては、主要被写体に照射される左右方向からのストロボ光の光量が異なってしまい、撮影画像において主要被写体に影ができてしまう。
【０００７】
すなわち、撮影レンズを挟んだストロボ発光部のストロボ光の配光特性は、図１８（ａ）、（ｂ）に示したようになっている。図１８（ａ）は、撮影レンズの左側のストロボ発光部からのストロボ光の配光特性であり、右側の領域では、途中から光量が減少している。図１８（ｂ）は、撮影レンズの右側のストロボ発光部からのストロボ光の配光特性であり、左側の領域では、途中から光量が減少している。
【０００８】
図１８（ｃ）に示したように、上記の右左のストロボ発光部からのストロボ光が重畳されて（トータル光量）、主要被写体に照射される。この場合、画角の中心付近（撮影レンズの正面付近）では左右のストロボ光の光量が等しいため、撮影画像において主要被写体に影が出なくなる。しかし、主要被写体が画角中心から離れるに従って、一方のストロボ光の光量は少なくなってしまう。
【０００９】
従って、主要被写体（被写体中心）の位置が図１８（ｃ）に示した領域ａに係る位置の場合には、主要被写体に照射されるストロボ光の光量は、右側のストロボ光の光量が多くなり、左側のストロボ光の光量は少なくなる。従って、複数のストロボ発光部を用いても、撮影画像において主要被写体にできる影を抑制することができず、撮影者が意図した撮影画像を得られない場合がある。
【００１０】
本発明は、このような技術的な背景の下になされたもので、その目的は、撮影レンズに対する主要被写体の位置に拘らず、撮影画像において主要被写体にできる影を抑制できるようにすることにある。
【課題を解決するための手段】
【００１１】
上記目的を達成するため、本発明にかかる撮像装置は、撮影レンズと同一面に配された複数の発光部を有する撮像装置であって、前記撮影レンズに対する主要被写体の位置を検出する検出手段と、前記検出手段により検出された主要被写体の位置に基づいて、前記複数の発光部から当該主要被写体にそれぞれ照射される閃光の光量を等しくするための当該複数の発光部の発光量を算出する算出手段と、前記算出手段により算出された発光量で発光するように前記複数の発光部を制御する制御手段と、を有することを特徴とする。
【発明の効果】
【００１２】
本発明によれば、撮影レンズに対する主要被写体の位置に拘らず、撮影画像において主要被写体にできる影を抑制することが可能となる。
【図面の簡単な説明】
【００１３】
【図１】本発明の第１の実施の形態に係る撮像装置（デジタルカメラ）の外観図である。
【図２】図１のデジタルカメラのハードウェア構成を示すブロック図である。
【図３】図１のデジタルカメラに搭載されたストロボ２Ｒ，２Ｌの回路図である。
【図４】図１のデジタルカメラにおける撮影処理を示すフローチャートである。
【図５】図４の続きのフローチャートである。
【図６】第１の実施の形態におけるストロボ光による本露光処理を示すフローチャートである。
【図７】第１の実施の形態におけるストロボ光による本露光処理を示すタイムチャートである。
【図８】第１の実施の形態における発光テーブルを示す図である。
【図９】第１の実施の形態における左右のストロボ２Ｒ，２Ｌの配光特性を示す図である。
【図１０】第１の実施の形態における左右のストロボ２Ｒ，２Ｌの配光テーブルを示す図である。
【図１１】第１の実施の形態における左右のストロボ２Ｒ，２Ｌの合計光量に基づいて撮影画角を区分した場合の領域等を示す図である。
【図１２】本発明の第２の実施の形態に係る撮像装置（デジタルカメラ）の外観図である。
【図１３】第２の実施の形態における左側のストロボ２Ｌの配光特性を示す図である。
【図１４】第２の実施の形態における左側のストロボ２Ｌの配光テーブルを示す図である。
【図１５】第２の実施の形態における左側のストロボ２Ｌの発光テーブルを示す図である。
【図１６】第２の実施の形態における左右のストロボ２Ｒ，２Ｌの合計光量に基づいて撮影画角を区分した場合の領域を示す図である。
【図１７】第２の実施の形態におけるストロボ光による本露光処理を示すフローチャートである。
【図１８】従来技術の問題点を説明するための図である。
【発明を実施するための形態】
【００１４】
以下、本発明を実施するための形態を図面に基づいて説明する。なお、本明細書では、「右」、「左」という用語は、ユーザが撮影レンズの側から撮像装置を見た場合の「右」、「左」という意味で使用している。
【００１５】
［第１の実施の形態］
図１は、本発明の第１の実施の形態に係る撮像装置（デジタルカメラ）の外観図である。
【００１６】
このデジタルカメラ１００には、撮影レンズ１が設けられた面と同一面の上方に、発光部としてのストロボ発光部２Ｒ，２Ｌ、及びＡＦ補助光部３が配されている。ストロボ発光部（以下、ストロボという）２Ｒ，２Ｌの位置は、撮影レンズ１の中心に対して対称な位置となっている。
【００１７】
従って、図１（ｂ）に示したように、ストロボ２Ｒ，２Ｌから発光されるストロボ光の照射領域は、撮影レンズ１に対して対称な領域となる。この場合、ストロボ２Ｌからのストロボ光は、撮影画角において左側が明るくなる配光特性となり、ストロボ２Ｒからのストロボ光は、撮影画角において右側が明るくなる配光特性となる。この配光特性については、後で詳細に説明する。
【００１８】
なお、撮影レンズ１は、ズーム機能を有している。また、ＡＦ補助光部３は、測距処理、それに続く合焦処理を行う際の補助光を被写体に照射するために利用される。また、デジタルカメラ１００の上面には、レリーズスイッチ４、及び電源スイッチ５が設けられている。
【００１９】
レリーズスイッチ４は、第１，第２のスイッチを有し、半押し状態で第１のスイッチがＯＮし、全押し状態で第２のスイッチがＯＮするように構成されている。なお、以後の説明において、レリーズスイッチ４に係る第１のスイッチをレリーズ第１スイッチＳＷ１と呼び、第２のスイッチをレリーズ第２スイッチＳＷ２と呼ぶこととする。
【００２０】
図１（ａ），（ｂ）に示したデジタルカメラ１００のハードウェアは、図２のように構成されている。デジタルカメラ１００の一連の撮影動作は、システム制御部１０１により制御される。
【００２１】
撮影レンズ１から入射された被写体光像は、絞り・シャッタ６を介して固体撮像素子７の撮像面上に結像され、固体撮像素子７により光電変換されて画像信号として出力される。この画像信号は、信号前処理部８により、相関二重サンプリング、ノイズ除去、Ａ／Ｄ変換等の信号前処理が施されて信号処理部９に出力される。
【００２２】
なお、信号前処理部８は、固体撮像素子７を駆動制御するためのタイミング信号を生成して固体撮像素子７に供給する。システム制御部１０１は、このタイミング信号に基づいて、固体撮像素子７の信号電荷の読み出し、垂直転送、水平転送等の動作を制御する。信号処理部９は、画像信号に対してガンマ補正等の各種補正処理、表示部１０による表示、或は記録媒体１１による記録に適した信号形態への変換処理等を行う。
【００２３】
システム制御部１０１は、光学系駆動部１２を介して撮影レンズ１、絞り・シャタ６を駆動制御することで、ＡＥ（自動露出）処理、ＡＦ（自動合焦）処理を行う。システム制御部１０１は、ＡＦ（自動合焦）処理を行う際には、ＡＦ補助光部３により補助光を発光させて測距を行う。この場合、補助光は被写体により反射され、当該被写体の画像信号が固体撮像素子７、信号前処理部８を介して信号処理部９から得られる。
【００２４】
そこで、システム制御部１０１は、この補助光に係る画像信号の輝度分布（高周波信号成分の分布）を解析することにより、撮影画角内における主要被写体の位置、すなわち撮影レンズ１に対する主要被写体の位置を検出する。
【００２５】
また、システム制御部１０１は、ストロボ２Ｒ，２Ｌの発光制御を行う。この場合、システム制御部１０１は、主要被写体に対して照射されるストロボ２Ｒ，２Ｌからの２つのストロボ光の光量が等しくなるように、ストロボ２Ｒ，２Ｌの発光量を制御する。
【００２６】
なお、システム制御部１０１は、ＣＰＵ１０１ａ、ＲＯＭ１０１ｂ、ＲＡＭ１０１ｃを有している。ＲＯＭ１０１ｂには、ＯＳ等の基本的なプログラムの他、図４〜６，１５のフローチャートに係るアプリケーションプログラム、図８，１５の発光テーブル、図１０，１４の配光テーブルが予め格納されている。ＣＰＵ１０１ａは、プログラムを実行する際にＲＡＭ１０１ｃをワークエリアとして利用する。また、システム制御部１０１は、次に説明するストロボ制御回路３６を内蔵している。
【００２７】
図３は、ストロボ２Ｒ，２Ｌの回路図である。ストロボ２Ｒ，２Ｌは、ストロボ光の発光に関して同一規格のストロボであり、それらの発光能力は同一となっている。すなわち、ストロボ２Ｒ，２Ｌは、それぞれ、同一規格のキセノン管３１Ｒ，３１Ｌ、トリガー回路３２Ｒ，３２Ｌ、メインコンデンサ３３Ｒ，３３Ｌ、ファーストリカバリダイオード３４Ｒ，３４Ｌ、充電回路３５Ｒ，３５Ｌを有している。
【００２８】
ストロボ制御回路３６は、システム制御部１０１の制御の下に、トリガー回路３２Ｒ，３２Ｌ、及び充電回路３５Ｒ，３５Ｌを制御する。すなわち、ストロボ制御回路３６は、システム制御部１０１からの充電指令信号に基づいて、充電回路３５Ｒ，３５Ｌにより、ファーストリカバリダイオード３４Ｒ，３４Ｌを介してメインコンデンサ３３Ｒ，３３Ｌに充電電流を供給する。これにより、キセノン管３１Ｒ，３１Ｌにより閃光（ストロボ光）を発光するための電荷がメインコンデンサ３３Ｒ，３３Ｌに蓄積される。そして、ストロボ制御回路３６は、システム制御部１０１からの発光指令信号に基づいて、トリガー回路３２Ｒ，３２Ｌにトリガー信号を入力する。
【００２９】
このトリガー信号により、メインコンデンサ３３Ｒ，３３Ｌに蓄積された電荷がキセノン管３１Ｌ，３１Ｒに放出され、キセノン管３１Ｒ，３１Ｌからストロボ光が発光される。なお、上記のように、ストロボ２Ｒ，２Ｌは、同一規格のストロボであり、それらの発光能力は同一であり、更に、第１の実施の形態では、撮影レンズ１の中心に対して対称な位置に配されてストロボ光の配光特性も同一である。従って、システム制御部１０１は、ストロボ２Ｒ，２Ｌの発光量を制御する場合は、後述するように、共通の発光テーブルに基づいて単純にストロボ２Ｒ，２Ｌの発光時間だけを制御している。
【００３０】
次に、デジタルカメラ１００による撮影処理を図４、図５のフローチャートに基づいて説明する。
【００３１】
システム制御部１０１は、電源スイッチ５がＯＮされると（Ｓ４０１）、撮影モード、再生モードの何れが設定されているのかを判別する（Ｓ４０２）。再生モードが設定されている場合、システム制御部１０１は、撮影に係る画像データを記録媒体１１から信号処理部９に読込み（Ｓ４２５）、信号処理部９により表示のための信号処理を実行させて、表示部１０に再生画像として表示させる（Ｓ４２６）。
【００３２】
その後、システム制御部１０１は、電源スイッチ５がＯＦＦされるまで再生画像を表示させ、電源スイッチ５がＯＦＦされると（Ｓ４２７）、再生画像の表示を中止させて、電源部１３による各デバイスへの電源供給をＯＦＦさせる。
【００３３】
一方、撮影モードが設定されている場合、システム制御部１０１は、撮影レンズ１を初期位置まで駆動させる（Ｓ４０３）。次に、システム制御部１０１は、絞り・シャッタ６を全開し、被写体光像を固体撮像素子７に入射させる（Ｓ４０４）。
【００３４】
次に、システム制御部１０１は、固体撮像素子７から出力され、信号処理回路９で信号処理された画像信号に基づいて被写体の測光を行い、この測光値に基づいて露出制御値を演算する（Ｓ４０５）。そして、システム制御部１０１は、演算した露出制御値に基づいて絞り値、シャッタ速度を決定して設定する（Ｓ４０６）。
【００３５】
次に、システム制御部１０１は、自動ストロボモードが設定されていれば、メインコンデンサ３３Ｌ，３３Ｒを充電する（Ｓ４０７、Ｓ４０８）。更に、システム制御部１０１は、表示モードが設定されていれば、撮影画像を表示部１０に表示する（Ｓ４０９，Ｓ４１０）。
【００３６】
次に、システム制御部１０１は、レリーズ第１スイッチＳＷＩがＯＮされると（Ｓ４１１）、Ｓ４０６にて設定した絞り値、シャッタ速度で固体撮像素子７を露光し、測光処理を行って露出制御値を演算する（Ｓ４１２）。そして、システム制御部１０１は、測光処理で得た測光値に基づいてストロボ光が必要であるか否かを判定し、（Ｓ４１３）、ストロボ光が必要であると判定した場合は発光フラグをセットして、メインコンデンサ３３Ｒ，３３Ｌを再度充電する（Ｓ４１４）。
【００３７】
次に、システム制御部１０１は、Ｓ４１２で算出した露出制御値に基づいて絞り値、シャッタ速度を決定・設定する（Ｓ４１５）。そして、当該絞り値、シャッタ速度で固体撮像素子７を露光させ、ＡＦ処理を行う（Ｓ４１６）。
【００３８】
なお、ストロボ光が必要であると判定した場合、システム制御部１０１は、ＡＦ補助光部３によりＡＦ補助光を発光させた上でＡＦ処理を行う。また、システム制御部１０１は、ＡＦ補助光に係る画像信号に基づいて被写体（主要被写体）、及び撮影画角内における主要被写体の位置、すなわち撮影レンズ１に対する主要被写体の位置を検出し、検出した主要被写体に合焦するように撮影レンズ１を駆動制御する。システム制御部１０１は、Ｓ４１６の制御を主要被写体に係る画像信号が合焦点に達するまで繰返し行う（Ｓ４１７）。
【００３９】
次に、システム制御部１０１は、レリーズ第２スイッチＳＷ２がＯＮされると（Ｓ４１８）、ストロボ発光フラグがセットされているか否かを判別する（Ｓ４２０）。ストロボ発光フラグがセットされていれば、システム制御部１０１は、ストロボ発光による本露光（本発光）処理を行って（Ｓ４２０）、Ｓ４２２に進む。このストロボ発光による本露光処理については、後で詳細に説明する。
【００４０】
一方、ストロボ発光フラグがセットされていなければ、システム制御部１０１は、ストロボ発光を伴わない通常の本露光処理を行って撮影を行う（Ｓ４２１）。なお、Ｓ４２０，Ｓ４２１の本露光処理では、Ｓ４１６の処理で撮影レンズ１が主要被写体に合焦した状態で、且つＳ４１５で設定された絞り値、シャッタ速度で行われる。
【００４１】
システム制御部１０１は、Ｓ４２０又はＳ４２１の本露光処理（撮影処理）を行った後、レリーズ第２スイッチＳＷ２がＯＮしている間は、表示部１０に撮影画像を表示し続ける（Ｓ４２２，Ｓ４２３）。更に、システム制御部１０１は、電源スイッチがＯＮされている間は（Ｓ４２４）、Ｓ４０３以降の処理を繰り返し実行する。
【００４２】
次に、図５のＳ４２０におけるストロボ発光による本露光処理を、図６のフローチャート、図７のタイムチャートに基づいて詳細に説明する。この際、図８〜図１１を適宜用いて図６のステップの処理を補足説明する。
【００４３】
発光フラグがセットされた状態でレリーズ第２スイッチＳＷ２がＯＮすると（図７のｔ１参照）、システム制御部１０１は、ストロボ制御回路部３６により、トリガー回路３２Ｌ，３２Ｒにトリガー信号を入力し、プリ発光を行う（図６のＳ６０１、図７のｔ２〜ｔ３）。このプリ発光の発光時間は、図８に示した発光テーブルＴにより決定され、ストロボ２Ｒ，２Ｌにおいて、同一時間（１５μｓｅｃ）であり同一の発光量となる。
【００４４】
図８に示した発光テーブルＴには、プリ発光時間と本発光時間が記録され、本発光時間は、プリ発光時間に対応する発光量に対する当該本発光時間に対応する発光量の倍率と対応付けて記録されている。すなわち、プリ発光時間と本発光時間は、発光量に係る情報として記録されている（図１５の発光テーブルＴＬも同様）。
【００４５】
本実施の形態では、プリ発光と本発光の間の期間、つまりｔ３〜ｔ４期間にはメインコンデンサの充電を行わない構成としている。そのため、プリ発光によってメインコンデンサの充電電圧は降下するので、本発光時にプリ発光と同じ時間発光させても同じ光量を得ることはできなくなる。したがって、図８に示すように、プリ発光時間と本発光時間が同じ場合には本発光の発光量のほうが小さくなる。なお、プリ発光と本発光の間の期間にメインコンデンサの充電を行う構成にしてもよく、その場合には、プリ発光時間と本発光時間が同じであれば発光量も同じになるような発光テーブルを用いればよい。
【００４６】
次に、システム制御部１０１は、プリ発光に基づく測光処理を行い（Ｓ６０２）、主要被写体に係る適正光量に対する不足光量ΔＥＶを算出する（Ｓ６０３）。そして、システム制御部１０１は、算出した不足光量ΔＥＶに基づいて、適正光量で本露光（本発光）を行うためのストロボ２Ｒ，２Ｌの発光量をそれぞれ算出する（Ｓ６０４）。
【００４７】
次に、Ｓ４１６のＡＦ処理により、撮影画角内での主要被写体の位置が判明しているので、システム制御部１０１は、その主要被写体の位置に基づいてストロボ２Ｒ，２Ｌの発光量を決定する。そこで、システム制御部１０１は、ストロボ２Ｒ，２Ｌから主要被写体に各々照射されるストロボ光の光量を等しくするためには、Ｓ６０４で算出したストロボ２Ｒ，２Ｌの発光量の比を変更すべきか否かを判別する（Ｓ６０５）。
【００４８】
この判別処理は、次のようにして行う。図９（ａ）に示したライン２Ｌｌのように、左側のストロボ２Ｌの配光特性は、画角（水平画角）の左端の近傍で光量が低減し、水平画角の右側の領域では、当該右側の領域の途中から２段階の低減率で光量が低減している。一方、右側のストロボ２Ｒの配光特性は、図９（ｂ）に示したライン２Ｒｌのように、画角（水平画角）の右端の近傍で光量が低減し、水平画角の左側の領域では、当該左側の領域の途中から２段階の低減率で光量が低減している。
【００４９】
すなわち、水平画角内におけるストロボ２Ｒ，２Ｌの発光量は、画角中心ラインを対称軸として、線対称となっている。なお、図９（ａ），（ｂ）は、垂直画角中のある位置、すなわち、図１１（ａ）に示したラインＹにおけるストロボ２Ｒ，２Ｌの配光特性を示したものである。
【００５０】
従って、被写体に照射されるストロボ２Ｒ，２Ｌからの光量の合計光量は、図１１（ｂ）に示した実線Ｔｏのようになる。なお、ストロボ２Ｒ，２Ｌの発光量の配光特性は、垂直画角中の位置が変化しても、画角中心ラインを対称軸として線対称となるが、光量が低減し始める水平位置は、垂直画角中の位置に応じて変化する。
【００５１】
従って、被写体に照射されるストロボ２Ｒ，２Ｌからの光量の合計光量は、図１１（ａ）に示したように、領域Ａ、Ｂ１，Ｂ２，Ｃ１，Ｃ２に区分することができる。なお、領域Ａは、合計光量が低減しない領域であり、領域Ｂ１，Ｂ２は、合計光量の１段目の低減領域であり、領域Ｃ１，Ｃ２は、合計光量の２段目の低減領域である。
【００５２】
従って、図１１（ａ）に示した領域Ａに主要被写体が存在する場合は、主要被写体に左右方向から照射されるストロボ光の光量は等しく、撮影画像において主要被写体に影が発生することはない。従って、この場合は、影の発生を回避するために、ストロボ２Ｒ，２Ｌの本露光時の発光量比を変更する必要はない。
【００５３】
ところが、例えば、図１１（ａ）に示した領域Ｂ２に主要被写体が存在する場合は、図９（ａ），（ｂ）の配光特性から推測できるように、ストロボ２Ｌからのストロボ光の光量は低減するが、ストロボ２Ｒからのストロボ光の光量は低減しない。この場合は、撮影画像において主要被写体に影が発生する。従って、その影の発生を回避すべく、ストロボ２Ｒ，２Ｌの本露光時の発光量比を変更して（図１１（ｂ）の２Ｌｌａ，２Ｒｌａ参照）、領域Ｂ２において主要被写体に照射される左右のストロボ光の光量を等しくする必要がある（図１１（ｂ）の破線の楕円参照）。
【００５４】
システム制御部１０１は、前述のＳ６０５では、以上のような判断基準で、ストロボ２Ｒ，２Ｌの本露光時の発光量比を変更する必要があるか否かを判別する。そして、システム制御部１０１は、発光量比を変更する必要がある場合、主要被写体に対する適正光量を維持した状態で、左右方向からのストロボ光の光量を等しくするためのストロボ２Ｒ，２Ｌの本露光時の発光量を再度算出する（Ｓ６０６：図７のｔ３〜ｔ４）。
【００５５】
例えば、上記のように、主要被写体が領域Ｂ２に存在している場合は、システム制御部１０１は、図１１（ｂ）に示したように、領域Ｂ２での適正光量２Ｂｌを変更することなく、かつ、左右方向から主要被写体に照射される光量が等しくなるようにする。この場合、システム制御部１０１は、ストロボ２Ｌからのストロボ光の光量を２Ｌｌａのように多くし、ストロボ２Ｒからのストロボ発の光量を２Ｒｌａのように少なくする。
【００５６】
この場合、システム制御部１０１は、図１０（ａ），（ｂ）に示した配光テーブルＴＤＬ，ＴＤＲを用いて、ストロボ２Ｒ，２Ｌの本露光時の発光量を算出する。図１０（ａ）の配光テーブルＴＤＬは、ストロボ２Ｌに係る配光特性を示しており、図９（ａ）に対応するものである。また、図１０（ｂ）配光テーブルＴＤＲは、ストロボ２Ｒに係る配光特性を示しており、図９（ｂ）に対応するものである。
【００５７】
また、図１０（ａ），（ｂ）の各行列の値は、図９（ａ），（ｂ）に示した光量の低減が無い領域の光量を「１」とする光量比を示している。そして、各行は図１１（a）の水平方向（水平画角）における光量比、各列は図１１（a）の垂直方向（垂直画角）における光量比を示している。
【００５８】
システム制御部１０１は、ストロボ２Ｒ，２Ｌの本露光時の発光量としては、具体的には、ストロボ２Ｒ，２Ｌの発光時間で光量を制御するので、プリ発光時間に係る発光量に対するストロボ２Ｒ，２Ｌの本露光時の発光量の倍率をそれぞれ算出する（Ｓ６０７）。そして、システム制御部１０１は、それら倍率に係る発光時間を図８の発光テーブルＴから取得する（Ｓ６０７）。この算出した倍率、及び当該倍率に対応する発光時間が発光テーブルＴに登録されていない場合は、システム制御部１０１は、その倍率に最も近い大小２つの倍率を用いて補間演算により発光時間を求める。
【００５９】
なお、システム制御部１０１は、Ｓ６０５にて光量比を変更する必要がないと判別した場合は、Ｓ６０６の処理をスキップしてＳ６０７に進む。
【００６０】
次に、システム制御部１０１は、Ｓ６０７で得られた各発光時間だけストロボ２Ｒ，２Ｌを本発光させて撮影処理を制御する（Ｓ６０８）。この場合、領域Ｂ２に主要被写体が存在するときは、システム制御部１０１は、図７に示したように、ストロボ２Ｌはｔ４〜ｔ６の時間だけ発光させ、ストロボ２Ｒはｔ４〜ｔ５の時間だけ発光させる。
【００６１】
このように、主要被写体が画角内のどの位置に存在していても、常に、左右方向からのストロボ光の光量が等しくなるように制御することで、主要被写体の影が撮影画像で可及的に出現しないようにすることが可能となる。
【００６２】
［第２の実施の形態］
第１の実施の形態では、図１（ａ），（ｂ）に示したように、右左のストロボ２Ｒ，２Ｌは、撮影レンズ１の中心を対称点とする対称位置に配備されていた。
【００６３】
これに対し、第２の実施の形態では、図１２（ａ），（ｂ）に示したように、右左のストロボ２Ｒ，２Ｌは、撮影レンズ１の中心を対称点とする対称位置に配備されておらず、撮影レンズ１の中心から少しずれた位置を対称点とする対称位置に配備されている。すなわち、図１（ａ），（ｂ）と図１２（ａ），（ｂ）を比較した場合、図１２（ａ），（ｂ）の右側のストロボ２Ｒは、図１（ａ），（ｂ）と同じ位置に配備されているが、図１２（ａ），（ｂ）の左側のストロボ２Ｌは、図１よりも右側にシフトされている。
【００６４】
従って、第２の実施の形態では、左側のストロボ２Ｌの水平画角における配光特性は、図１３に示したように、第１の実施の形態に係る図９の配光特性と比べて、水平画角の右側の領域で水平画角の中心から近い位置から光量が低減し始めるようになる。
【００６５】
このため、第２の実施の形態に係る左右のストロボ２Ｒ，２Ｌの光量の合計光量の区分は、図１６（ａ）のように、図１１（ａ）に示した第１の実施の形態に係る合計光量の区分を左方向に圧縮したような形となる。
【００６６】
また、第１の実施の形態では、ズーム位置（変倍率）の変更は無いことを前提としていたが、第２の実施の形態では、ズーム位置の変更を考慮した形で、主要被写体に左右方向から照射されるストロボ光の光量が等しくなるように制御している。図１６（ａ）の合計光量の区分に対応する変倍率を大きくした場合は、その合計光量の区分は、例えば図１６（ｂ）のように変化する。
【００６７】
次に、第２の実施の形態における図５のＳ４２０でのストロボ発光による本露光処理を、図１７のフローチャートに基づいて詳細に説明する。なお、図１７では、第１の実施の形態に係る図６の処理ステップと同一の処理ステップには、同一のステップ番号を付している。
【００６８】
発光フラグがセットされた状態でレリーズ第２スイッチＳＷ２がＯＮすると、システム制御部１０１は、ストロボ制御回路部３６により、トリガー回路３２Ｌ，３２Ｒにトリガー信号を入力し、プリ発光を行う（Ｓ６０１）。
【００６９】
この場合、ストロボ２Ｒのプリ発光の発光時間は、第１の実施の形態と同様に図８の発光テーブルＴにより決定されるが、ストロボ２Ｌのプリ発光の発光時間は、図１５の発光テーブルＴＬにより決定される。すなわち、第２の実施の形態では、ストロボ２Ｒのプリ発光の発光時間は１５μｓｅｃ、ストロボ２Ｌのプリ発光の発光時間は１３μｓｅｃとなり、ストロボ２Ｒ，２Ｌでプリ発光の発光時間が異なっている。
【００７０】
これは、図１２に示したように、左側のストロボ２Ｌは、右側のストロボ２Ｒに比べて撮影レンズ１の中心に近くなっている。従って、左側のストロボ２Ｌのプリ発光時間を右側のストロボ２Ｒのプリ発光時間よりも短くすることで、主要被写体に対して照射される左右方向からのストロボ光の光量が等しくなるようにしている。
【００７１】
なお、第２の実施の形態では、ストロボ２Ｌにおいて撮影画角に対する配光特性が第１の実施の形態と異なっているため、図１４、図１５に示したように、ストロボ２Ｌ用の配光テーブルＴＤＬａ、発光テーブルＴＬが用意されている。ただし、第２の実施の形態では、ストロボ２Ｒにおいては、第１の実施の形態と同様に、配光テーブルＴＤＲ、発光テーブルＴＲを用いる。
【００７２】
次に、システム制御部１０１は、プリ発光に基づく測光処理を行い（Ｓ６０２）、主要被写体に係る適正光量に対する不足光量ΔＥＶを算出し（Ｓ６０３）、不足光量ΔＥＶに基づいて、ストロボ２Ｒ，２Ｌの本露光時の発光量をそれぞれ算出する（Ｓ６０４）。
【００７３】
次に、システム制御部１０１は、ズーム位置を確認し（Ｓ１７０１）、そのズーム位置に応じて配光テーブルを変更する必要があるか否かを判別する（Ｓ１７０２）。例えば、図１６（ａ）に係るズーム位置からテレ側にズーム位置を変化させた場合、水平画角の端部の部分で光量の低減が少なくなり、ストロボ２Ｒ，２Ｌの合計光量の区分は、図１６（b）のように変化するので、配光テーブルを変更する必要がある。
【００７４】
配光テーブルを変更する必要がある場合は、システム制御部１０１は、配光テーブルを変更する（Ｓ１７０３）。ただし、第２の実施の形態では、実際に配光テーブルを変更することはなく、図１４の配光テーブルＴＤＬａ、図１０の配光テーブルＴＤＲの参照範囲を例えば図１６（ｂ）のような撮影画角に応じて限定することで対処し、ＲＯＭ１０１ｂの使用量を節約している。しかしながら、ズーム位置に応じてストロボ２Ｒ，２Ｌ用の配光テーブルを複数設けて、主要被写体に照射される左右方向からのストロボ光の光量が高精度に等しくなるようにしてもよい。
【００７５】
次に、システム制御部１０１は、撮影画角内での主要被写体の位置に基づいて、ストロボ２Ｒ，２Ｌの本発光時の発光量比を変更する必要があるか否かを判別する（Ｓ６０５）。この判別処理は、第１の実施の形態において詳細に説明したので、ここでは説明を省略する。
【００７６】
システム制御部１０１は、発光量比を変更する必要がある場合は、主要被写体に対する適正光量を変更することなく、左右方向からのストロボ光の光量を等しくするためのストロボ２Ｒ，２Ｌの本露光時の発光量を、再度算出する（Ｓ６０６）。例えば、図１６（ａ），（ｂ）に示した領域Ｂ２に主要被写体が存在している場合は、システム制御部１０１は、領域Ｂ２での適正光量を変更することなく、かつ、左右方向から主要被写体に照射されるストロボ光の光量が等しくなるようにする。
【００７７】
次に、システム制御部１０１は、Ｓ６０６で算出されたストロボ２Ｒ，２Ｌの本露光時の発光量が、当該ストロボ２Ｒ，２Ｌの最大発光量を超えているか否かを判別する（Ｓ１７０４）。システム制御部１０１は、少なくとも一方の算出に係る発光量が当該ストロボ２Ｒ，２Ｌの最大発光量を超えている場合は、Ｓ６０６に戻り、再度、本露光時の発光量を算出する。
【００７８】
Ｓ６０６に戻った場合、システム制御部１０１は、上記の最大発光量に対応するストロボ２Ｒ又は２Ｌの発光量としては当該最大発光量に決定し、左右方向からのストロボ光の光量を等しくするための他方のストロボ２Ｌ又は２Ｒの発光量を再度算出する。Ｓ６０６に戻った場合に得られるストロボ２Ｒ，２Ｌの合計光量は、適正光量には不足しているが、この不足は、後述する本露光処理のＳ６０８で補充される。
【００７９】
なお、算出に係る両方の発光量がそれぞれ対応するストロボ２Ｒ，２Ｌの最大発光量を超えている場合は、それら最大発光量の範囲内でストロボ２Ｒ，２Ｌの合計光量が最大になる形で、左右方向からのストロボ光の光量が等しくなるように再演算すればよい。
【００８０】
次に、システム制御部１０１は、ストロボ２Ｒ，２Ｌの本露光時の発光量としては、具体的には、ストロボ２Ｒ，２Ｌの発光時間で光量を制御するので、プリ発光時間に係る発光量に対するストロボ２Ｒ，２Ｌの本露光時の発光量の倍率をそれぞれ算出する（Ｓ６０７）。そして、システム制御部１０１は、それら倍率に係る発光時間を図８、および図１５の発光テーブルＴ、ＴＬからそれぞれ取得する（Ｓ６０７）。この算出した倍率、及び当該倍率に対応する発光時間が発光テーブルＴ，ＴＬに登録されていない場合は、システム制御部１０１は、その倍率に最も近い大小２つの倍率を用いて補間演算により発光時間を求める。
【００８１】
なお、システム制御部１０１は、Ｓ６０５にて光量比を変更する必要がないと判別した場合は、Ｓ６０６，Ｓ１７０４の処理をスキップしてＳ６０７に進む。
【００８２】
次に、システム制御部１０１は、Ｓ６０７で得られた各発光時間だけストロボ２Ｒ，２Ｌを本露光させて撮影処理を制御する（Ｓ６０８）。システム制御部１０１は、この撮影処理においては、Ｓ６０６に戻った場合に得られたストロボ２Ｒ，２Ｌの合計光量と適正光量との差分光量を、ＩＳＯ感度、絞り値、又はシャッタ速度を変更することで補う。
【００８３】
これにより、たとえ、適正光量を維持するためには光量不足のストロボ２Ｒ，２Ｌがあったとしても、実質的に適正光量を維持した形で、左右方向からのストロボ光を等しくすることが可能となる。
【００８４】
このように、第２の実施の形態では、撮影画角におけるストロボ２Ｒ，２Ｌの配光特性が異なっている場合に、撮影画角での主要被写体の位置やズーム位置に拘らず、常に、左右方向からのストロボ光の光量が等しくなるように制御している。
【００８５】
従って、第２の実施の形態では、第１の実施の形態に比べて、撮影画像での主要被写体の影の出現をより一層抑制することが可能となる。この場合、第２の実施の形態では、より小さい画像においても撮影画像での主要被写体の影の出現を抑制することが可能となる。
【００８６】
また、複数のストロボの配置位置の自由度が高くなる。さらに、複数のストロボの発光性能を同一にする必要もない。
【００８７】
なお、本発明は、上記の第１,第２の実施の形態に限定されることなく、例えば、閃光発光以外の発光を行う発光部を有する撮像装置にも、第１,第２の実施の形態に係る技術思想を適用することができる。
【００８８】
また、３つ以上の発光部を有する場合にも、第１,第２の実施の形態に係る技術思想を適用することができる。さらに、第１,第２の実施の形態に係る発光テーブルや配光テーブルを用いることなく、発光制御や上記の影を無くすための発光量の算出を行ってもよい。
【００８９】
また、本発明の目的は、前述した各実施の形態の機能を実現するようにプログラミングされたソフトウェアのプログラムコードを記憶した記憶媒体を、システム或いは装置に供給することによっても達成される。この場合、そのシステム或いは装置のコンピュータ（またはＣＰＵやＭＰＵ等）が記憶媒体に格納されたプログラムコードを読み出し実行することとなる。
【００９０】
この場合、記憶媒体から読み出されたプログラムコード自体が前述した各実施の形態の機能を実現することになり、そのプログラムコード及び該プログラムコードを記憶した記憶媒体は本発明を構成することになる。
【００９１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、磁気テープ、不揮発性のメモリカード、ＲＯＭ等を用いることができる。さらに、ＤＶＤ−ＲＯＭ、ＤＶＤ−ＲＡＭ、ＤＶＤ−ＲＷ、ＤＶＤ＋ＲＷ等の光ディスクも、プログラムコードを供給するための記憶媒体として用いることができる。または、プログラムコードをネットワークを介してダウンロードしてもよい。
【００９２】
また、コンピュータが読み出したプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００９３】
さらに、記憶媒体から読み出されたプログラムコードが、コンピュータに挿入された機能拡張ボードやコンピュータに接続された機能拡張ユニットに備わるメモリに書き込まれた場合も含まれる。また、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【符号の説明】
【００９４】
１…撮影レンズ
２Ｒ…右側のストロボ
２Ｌ…左側のストロボ
２Ｒｌ…右側のストロボ光の光量
２Ｌｌ…左側のストロボ光の光量
３６…ストロボ制御回路
１００…デジタルカメラ
１０１…システム制御部
１０１ａ…ＣＰＵ
１０１ｂ…ＲＯＭ
１０１ｃ…ＲＡＭ
Ｂ２ｌ…領域Ｂ２の適正光量
Ｔ，ＴＬ…発光テーブル
ＴＤＲ，ＴＤＬ，ＴＤＬａ…配光テーブル
Ｔｏ…左右のストロボ光の合計光量
【図１】
2010204458.tif 000003
【図２】
2010204458.tif 000004
【図３】
2010204458.tif 000005
【図４】
2010204458.tif 000006
【図５】
2010204458.tif 000007
【図６】
2010204458.tif 000008
【図７】
2010204458.tif 000009
【図８】
2010204458.tif 000010
【図９】
2010204458.tif 000011
【図１０】
2010204458.tif 000012
【図１１】
2010204458.tif 000013
【図１２】
2010204458.tif 000014
【図１３】
2010204458.tif 000015
【図１４】
2010204458.tif 000016
【図１５】
2010204458.tif 000017
【図１６】
2010204458.tif 000018
【図１７】
2010204458.tif 000019
【図１８】
2010204458.tif 000020